(57)【要約】      （修正有）【課題】家庭内において先祖の供養に使用され、収容されている遺骨が不意に取り出されることのない簡易供養塔を提供する。【解決手段】遺骨を収容した状態で家庭内に設置することで、家庭内において故人を供養するための簡易供養塔Ｔであって、遺骨を収容する納骨箱Ｂと、当該納骨箱Ｂを挿入支持可能な開口が上板部１に設けられた納骨ベース体Ｖと、当該納骨ベース体Ｖの開口に納骨箱Ｂが挿入支持された状態で、当該開口の全体を覆って、当該納骨ベース体Ｖに起立固定される塔本体Ｄとを備えた構成とする。【選択図】図８
0003192818.tif 000002
【実用新案登録請求の範囲】
【請求項１】
遺骨を収容した状態で家庭内に設置することで、家庭内において故人を供養するための簡易供養塔であって、
遺骨を収容する納骨箱と、当該納骨箱を挿入支持可能な開口が上板部に設けられた納骨ベース体と、当該納骨ベース体の開口に納骨箱が挿入支持された状態で、当該開口の全体を覆って、当該納骨ベース体に起立固定される塔本体とを備えていることを特徴とする簡易供養塔。
【請求項２】
前記納骨ベース体の開口に挿入支持された前記納骨箱は、当該納骨ベース体に対して固定されていることを特徴とする請求項１に記載の簡易供養塔。
【請求項３】
前記納骨箱、納骨ベース体、及び塔本体は、いずれも金属板を折り曲げて溶接することで、当該納骨箱、及び納骨ベース体は、それぞれ上面及び下面が開口されて直方体状に形成されると共に、前記塔本体は、下面が開口された起立形状の直方体状に形成され、
前記納骨ベース体の前板部の下端縁に下方に延設された一対の位置決め挿入片が、納骨ベース体の上板部に形成された一対の位置決め挿入孔に挿入されることで、当該納骨ベース体に対して塔本体が位置決めされることを特徴とする請求項１又は２に記載の簡易供養塔。
【請求項４】
前記塔本体の背面板部の下端は、当該塔本体の前板部及び各側板部の下端を超えて下方に延設されることで、前記納骨ベース体の背面板部に当接する当接板部となっていて、当該当接板部は、複数本のビスを介して前記納骨ベース体の背面板部に固定される構成であることを特徴とする請求項３に記載の簡易供養塔。
【考案の詳細な説明】
【技術分野】
【０００１】
本考案は、遺骨を収容した状態で家庭内に設置することで、家庭内において故人を供養できる簡易供養塔に関するものである。
【背景技術】
【０００２】
日本における冠婚葬祭は、時代の経過による考え方の変化により大きく変遷されているが、葬儀に関しては、簡素化はされていても、その儀式自体をなくすことはできず、その実施に多くの費用を必要とする。そして、葬儀の後においては、仏壇、墓のない者は、その購入の必要に迫られる。
【０００３】
人が故人或いは先祖を供養する心は、家族愛・肉親愛に基づくものであって、時代の変化とは無関係に、人として本来的に備えているものである。近年では、葬儀は済ませることができても、経済的な理由により、高価な仏壇又は墓の購入ができなかったり、或いは墓参りの意思はあっても、遠方での居住のために、墓参りができない者も少なくない。
【０００４】
上記した事情の下において、高価な仏壇又は墓を購入することなく、家庭内に設置可能な「小型墓石」が特許文献１に開示されている。しかし、特許文献１に開示の「小型墓石」は、納骨箱の背面に設けられた引出しに遺骨を収容する構造であって、構造を知らない者によって、不意に遺骨が取り出されてしまう恐れがあると共に、棚等に直接に設置される納骨箱に対して写真枠体が単に載せられているのみであるため、移動の際に、写真枠体が容易に転倒されてしまう恐れがあるという問題があった。
【先行技術文献】
【特許文献】
【０００５】
【特許文献１】特開２００９−７４２６４号公報
【考案の概要】
【考案が解決しようとする課題】
【０００６】
本考案の課題は、家庭内において先祖の供養ができる供養塔において、収容されている遺骨を簡単に取り出すことができず、しかも主たる構成部材である納骨ベース体と塔本体とが容易に分離しない構成にして、設置場所の移動の際に、構成部材が容易に分離しないようにすることである。
【課題を解決するための手段】
【０００７】
上記課題を解決するための請求項１の考案は、遺骨を収容した状態で家庭内に設置することで、家庭内において故人を供養するための簡易供養塔であって、遺骨を収容する納骨箱と、当該納骨箱を挿入支持可能な開口が上板部に設けられた納骨ベース体と、当該納骨ベース体の開口に納骨箱が挿入支持された状態で、当該開口の全体を覆って、当該納骨ベース体に起立固定される塔本体とを備えていることを特徴としている。
【０００８】
請求項１の考案によれば、遺骨を収容した納骨箱は、納骨ベース体に対して塔本体を取り外さないと、当該納骨ベース体の上板部に設けられた開口から取り出すことができない構造であって、家庭内に設置しても、不意に遺骨が取り出される恐れはないと共に、納骨ベース体に対して塔本体が一体となっているために、設置場所の変更のために、移動させる際においても、構成部材が分離されることはない。
【０００９】
このため、請求項１の考案に係る簡易供養塔は、高価な仏壇又は墓を購入することなく、家庭内に設置することで、不意に遺骨が取り出されることなく、家庭内において先祖の供養を行える。このため、遠方に居住の親族は、分骨により遺骨を収容することで、遠方にて故人の供養を行える。
【００１０】
請求項２の考案は、請求項１の考案において、前記納骨ベース体の開口に挿入支持された前記納骨箱は、当該納骨ベース体に対して固定されていることを特徴としている。
【００１１】
請求項２の考案によれば、納骨ベース体の上板部に設けられた開口に挿入支持される納骨箱は、当該納骨ベース体に対して一体に固定されているため、基本的な構成部材である納骨ベース体、塔本体及び納骨箱の３部材が一体化されるために、簡易供養塔の移動、転倒等の際においても、全体の一体性が保持される。
【００１２】
請求項３の考案は、請求項１又は２の考案において、前記納骨箱、納骨ベース体、及び塔本体は、いずれも金属板を折り曲げて溶接することで、当該納骨箱、及び納骨ベース体は、それぞれ上面及び下面が開口されて直方体状に形成されると共に、前記塔本体は、下面が開口された起立形状の直方体状に形成され、前記納骨ベース体の前板部の下端縁に下方に延設された一対の位置決め挿入片が、納骨ベース体の上板部に形成された一対の位置決め挿入孔に挿入されることで、当該納骨ベース体に対して塔本体が位置決めされることを特徴としている。
【００１３】
請求項３の考案によれば、納骨箱、納骨ベース体、及び塔本体は、いずれも金属薄板を折り曲げて溶接することで製作されているため、塔本体の前板部の下端縁に下方に延設された一対の位置決め挿入片を簡単に設けると共に、納骨ベース体の上板部に、前記一対の挿入片が挿入される一対の挿入孔を簡単に設けることができ、塔本体の一対の位置決め挿入片を、納骨ベース体の一対の位置決め挿入孔に挿入することで、位置決め部材である位置決め挿入片及び位置決め挿入孔の双方が外部に全く露出することなく、納骨箱と塔本体とが位置決め状態で組み付けられる。この結果、納骨箱と塔本体とを組付けた状態で、当該組付け部がスッキリした外観となる。
【００１４】
請求項４の考案は、請求項３の考案において、前記塔本体の背面板部の下端は、当該塔本体の前板部及び各側板部の下端を超えて下方に延設されることで、前記納骨ベース体の背面板部に当接する当接板部となっていて、当該当接板部は、複数本のビスを介して前記納骨ベース体の背面板部に固定される構成であることを特徴としている。
【００１５】
請求項４の考案によれば、塔本体及び納骨ベース体は、いずれも金属板を折り曲げて形成されているため、塔本体の背面板部の下端を超えて下方に延設された当接板部は、納骨ベース体の背面板部に当接し、当該当接板部は、複数本のビスを介して納骨ベース体の背面板部に固定される構成を簡単に実現できる。
【考案の効果】
【００１６】
本考案に係る簡易供養塔によれば、遺骨を収容した納骨箱は、納骨ベース体に対して塔本体を取り外さないと、当該納骨ベース体の上板部に設けられた開口から取り出すことができない構造であって、家庭内に設置しても、不意に遺骨が取り出される恐れはないと共に、納骨ベース体に対して塔本体が一体となっているために、設置場所の変更のために、移動させる際においても、構成部材が分離されることはないため、高価な仏壇又は墓を購入することなく、家庭内に設置することで、不意に遺骨が取り出されることなく、家庭内において先祖の供養を行える。
【図面の簡単な説明】
【００１７】
【図１】本考案に係る簡易供養塔Ｔの斜視図である。
【図２】同じく背面側から見た斜視図である。
【図３】同じく斜下方から見た斜視図である。
【図４】納骨ベース体Ｖと納骨箱Ｂとの分解斜視図である。
【図５】納骨ベース体Ｖと塔本体Ｄとの分解斜視図である。
【図６】本考案に係る簡易供養塔Ｔの平面図である。
【図７】図６のＸ−Ｘ線断面図である。
【図８】図６のＹ−Ｙ線断面図である。
【図９】（ａ），（ｂ）は、金属板製の塔本体Ｄを構成する主要金属板Ｐ1 及び背面金属板Ｐ2 の展開図である。
【考案を実施するための形態】
【００１８】
以下、最良の実施例を挙げて、本考案について更に詳細に説明する。本実施例に係る簡易供養塔Ｔは、図１〜図３に示されるように、遺骨を収容する納骨箱Ｂと、上板部１に形成された方形の開口２に前記納骨箱Ｂが挿入支持される納骨ベース体Ｖと、当該納骨ベース体Ｖの開口２に前記納骨箱Ｂが挿入支持された状態で、当該開口２の全体を覆って、当該納骨ベース体Ｖに起立姿勢で固定される塔本体Ｄとから成る。
【００１９】
簡易供養塔を構成する納骨箱Ｂ、納骨ベース体Ｖ及び塔本体Ｄは、いずれも金属板を折り曲げて溶接することで形成されている。図４〜図９に示されるように、納骨箱Ｂ及び納骨ベース体Ｖは、それぞれ上面及び下面が開口した直方体状に形成されている。納骨ベース体Ｖの上板部１の背面に近い部分には、横方向に長い長方形状の開口２が形成され、上板部１における当該開口２の前方には、塔本体Ｄに設けられた後述の一対の位置決め挿入片３３を挿入するための直線状をした左右一対の位置決め挿入孔３が設けられている。上板部１における前記開口２の両側には、一対の第１雌ねじ孔４が形成され、背面板部５の上端に近い部分には、左右一対の第２雌ねじ孔６が形成されている。
【００２０】
納骨箱Ｂは、図４、図５及び図７に示されるように、上面が開口していて、前記納骨ベース体Ｖの開口に対応した箱本体１１の短片部にそれぞれフランジ板部１２が外方に折り曲げて形成され、各フランジ板部１２にビス挿通孔１３が形成された構成である。納骨箱Ｂには、遺骨が収容された遺骨袋１４が収容され、納骨ベース体Ｖの開口２に納骨箱Ｂが収容されて、長手方向の両端の各フランジ板部１２により当該納骨ベース体Ｖに支持される。このようにして、納骨ベース体Ｖに収容支持された納骨箱Ｂの上面開口は、覆板１５で覆われ、当該覆板１５及び一対のフランジ板部１２は、一対のビス１６を介して納骨箱Ｂの上板部１に一体に固定される。
【００２１】
上記した納骨箱Ｂ及び納骨ベース体Ｖは、いずれも、予め展開形状に切り抜かれた１枚の金属板を折り曲げて、必要箇所を溶接することで、箱状に形成される。
【００２２】
塔本体Ｄは、図５〜図９に示されるように、下面が開口された起立直方体の上端の両コーナー部が大きく面取りされた形状であって、主要金属板Ｐ1 を折り曲げて、背面側に背面金属板Ｐ2 を配置して、当該背面金属板Ｐ2 の周縁部に設けられた接続代片３１（図９参照）の部分において、主要金属板Ｐ1 と背面金属板Ｐ2 との接続部を溶接することで、上記した起立直方体状に形成される。塔本体Ｄの前板部３２の下端部には、その下端縁を超えて下方に延設されて、前記納骨ベース体Ｖの一対の位置決め挿入孔３に挿入される一対の位置決め挿入片３３が設けられ、背面板部３４の下端は、前記前板部３２及び各側板部３５の下端を超えて下方に延設されて、前記納骨ベース体Ｖの背面に当接される当接板部３６が設けられている。なお、当接板部３６には、納骨ベース体Ｖの背面板部５に形成された一対の第２雌ねじ孔６と同一間隔をおいて、一対のビス挿通孔３７が形成されている。
【００２３】
そして、納骨ベース体Ｖに納骨箱Ｂが収容支持されて、当該納骨箱Ｂの上面が覆板１５で覆われて、当該納骨箱Ｂ及び覆板１５が納骨ベース体Ｖに固定された状態において、塔本体Ｄの一対の位置決め挿入片３３を納骨ベース体Ｖの一対の位置決め挿入孔３に挿入して、納骨ベース体Ｖに対して塔本体Ｄを起立させると、塔本体Ｄの背面の当接板部３６は、納骨ベース体Ｖの背面板部５に当接した状態となって、納骨ベース体Ｖに対する塔本体Ｄの配置位置が確定される。一対のビス３８を介して当該当接板部３６を納骨ベース体Ｖの背面板部５に固定すると、図１〜図３に示されるように、納骨ベース体Ｖに対して塔本体Ｄが起立姿勢で配置されて、納骨ベース体Ｖ、塔本体Ｄ及び納骨箱Ｂが一体化される。
【００２４】
なお、図１において、本実施例に係る簡易供養塔Ｔの縦、横、高さの最大寸法（Ｌ1 ×Ｌ2 ×Ｈ）＝（１５０×２００×３００）ｍｍであって、家庭内に設置しても嵩張ることはない。
【００２５】
また、上記した簡易供養塔Ｔは、納骨ベース体Ｖ、塔本体Ｄ及び納骨箱Ｂの全てが金属板の折曲加工と溶接により形成されていて、内部は大きな空洞になっているために、極めて軽量に製作できて、取扱い性が高まる。
【００２６】
これにより、納骨箱Ｂに納骨された遺骨は、納骨ベース体Ｖに対して塔本体Ｄを分離させない限り、取り出すことができないので、遺骨が不用意に取り出されることはない。また、外観からして、遺骨が収容されている部分は、全く認識できないので、家庭に設置しても、本来の「墓」のような「重苦しい」雰囲気は全くない。
【００２７】
また、納骨ベース体Ｖ、塔本体Ｄ及び納骨箱Ｂの全てが金属板を折り曲げて形成されているため、納骨ベース体Ｖに対して塔本体Ｄを位置決めして固定することで、納骨ベース体Ｖの開口２を覆う覆板１５が完全に隠されると共に、塔本体Ｄの一対の位置決め挿入片３３及び納骨ベース体Ｖの一対の位置決め挿入孔３は、外部から全く視認されなくなって、納骨ベース体Ｖの上板部１に設置された塔本体Ｄの下端周縁がスッキリした外観となる。
【００２８】
塔本体Ｄの前板部３２には、「かぞく愛」，「ふれあい」，「ぬくもり」，「おじいちゃん」，「おばあちゃん」等の故人に対して愛着のある言葉を記した銘板類４１を貼り付けることで、家庭において、いつでも、気軽に故人との会話、或いは故人に対する御世話ができて、故人に対する供養を行える。
【００２９】
また、遺骨の収容に加えて、塔本体Ｄ又は納骨ベース体Ｖの上面に、故人の写真、形見等を供えることで、故人を供養したり、拝んだりすることもできる。
【００３０】
塔本体Ｄの内部は、大きな空間部３９となっているので、当該空間部３９に、故人の遺品を収容しておくこともできる。
【００３１】
更に、供養の形態としては、本家として遺骨を収容して供養する場合のみならず、遠方居住の遺族のために、分骨収容して、遠方において家庭で供養することもできる。
【００３２】
上記実施例では、塔本体Ｄは、起立した直方体の上部の各コーナー部を大きく面取りした形状であるが、金属板の折曲加工と溶接により、起立した直方体の上部の各コーナー部を四分円弧状に面取りしたり、或いは塔本体の上部は、正面視において、半円状に形成することも可能である。更に、塔本体は、横断面形状を半円状にして、正面視において丸みを有する形状等にすることで、柔らかな外観にすることも可能である。
【００３３】
上記実施例では、簡易供養塔は、金属薄板の折曲加工と溶接により形成されているが、樹脂板或いは木材板により形成することも可能である。
【符号の説明】
【００３４】
Ｂ：納骨箱
Ｄ：塔本体
Ｔ：簡易供養塔
Ｖ：納骨ベース体
１：納骨ベース体の上板部
２：納骨ベース体の上板部に設けられた開口
３：位置決め挿入孔
１４：遺骨袋
３３：位置決め挿入片
３６：当接板部
【図１】
0003192818.tif 000003
【図２】
0003192818.tif 000004
【図３】
0003192818.tif 000005
【図４】
0003192818.tif 000006
【図５】
0003192818.tif 000007
【図６】
0003192818.tif 000008
【図７】
0003192818.tif 000009
【図８】
0003192818.tif 000010
【図９】
0003192818.tif 000011